Podtech/llm-jp-corpus-v4-ja_patent huggingface dataset:
【手続補正書】
【提出日】平成19年10月18日(2007.10.18)
【手続補正１】
【補正対象書類名】明細書
【補正対象項目名】００８３
【補正方法】変更
【補正の内容】
【００８３】
【図１】この発明に係る磁気ディスクメモリ装置の読み出し系プリアンプの一実施例を示す回路図である。
【図２】図１のプリアンプの動作を説明するための簡略等価回路図である。
【図３】この発明に係る磁気ディスクメモリ装置の一実施例を示す概略全体ブロック図である。
【図４】この発明に係る磁気ディスクメモリ装置の読み出し系プリアンプの他の一実施例を示す回路図である。
【図５】この発明に係る磁気ディスクメモリ装置の読み出し系プリアンプの他の一実施例を示す回路図である。
【図６】この発明に係る磁気ディスクメモリ装置の読み出し系プリアンプの他の一実施例を示す回路図である。
【図７】この発明に係る磁気ディスクメモリ装置の読み出し系プリアンプの他の一実施例を示す構成図である。
【図８】この発明に係る磁気ディスクメモリ装置の読み出し系プリアンプの他の一実施例を示す構成図である。
【図９】この発明が適用されるハードディスク装置の一実施例を示す要部概略構造図である。
【図１０】従来のリードアンプの一例を示す回路図である。
【図１１】この発明に係る磁気ディスクメモリ装置の読み出し系プリアンプの一実施例を示す回路図である。
【図１２】図１１のプリアンプの動作を説明するための簡略等価回路図である。
【図１３】図１１のプリアンプの動作を説明するための利得−周波数特性図である。
【図１４】この発明に係る磁気ディスクメモリ装置の一実施例を示す概略全体ブロック図である。
【図１５】この発明に係る磁気ディスクメモリ装置の読み出し系プリアンプの他の一実施例を示す回路図である。
【図１６】この発明に係る磁気ディスクメモリ装置の読み出し系プリアンプの他の一実施例を示す回路図である。
【図１７】この発明に係る磁気ディスクメモリ装置の読み出し系プリアンプの更に他の一実施例を示す構成図である。
【図１８】この発明が適用される磁気ディスクメモリ装置の他の一実施例を示すブロック図である。
【手続補正書】
【提出日】平成19年2月21日(2007.2.21)
【手続補正１】
【補正対象書類名】明細書
【補正対象項目名】００２１
【補正方法】変更
【補正の内容】
【００２１】
最上位に位置する第１傾斜ガイド板１４２の下方には、第１傾斜ガイド板１４２に対し直交方向に延びる第２傾斜ガイド板１４３が配置されている。
二番目に位置する第１傾斜ガイド板１４４の下方には、第１傾斜ガイド板１４４に対し直交方向に延びる第２傾斜ガイド板１４５が配置されている。
【手続補正書】
【提出日】平成19年2月21日(2007.2.21)
【手続補正１】
【補正対象書類名】明細書
【補正対象項目名】００２２
【補正方法】変更
【補正の内容】
【００２２】
下側ブラケット１４４の選別部１０６側の先端部に横方向に突出するピン状の第一ストッパ１５０及び１５２が設けられている。
第一ストッパ１５０は、保持板１２８の選別部１０６側の端面１５４と規制体１０９の案内面１５８との間のガイドレール１０４に対し直交方向に伸びる縦長空間にスライド可能に配置されている。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
消耗品情報表示指示を受信する送受信手段と、 端末装置の周辺機器の機種情報と前記周辺機器が利用している消耗品の消耗品型番情報に、前記消耗品の包装に付されている所定のデザインに対応する画像情報を関連付けて予め記憶する画像情報記憶部と、 前記送受信手段から前記消耗品情報表示指示を受信し、前記消耗品情報表示指示に含まれる前記機種情報と前記消耗品型番情報に対応する前記画像情報を前記画像情報記憶部から読み出して、前記画像情報に基づいて構成した消耗品情報通知画面を前記端末装置の画面に表示する消耗品情報制御手段と、 を備えたことを特徴とする周辺機器制御装置。
【請求項２】
前記所定のデザインはイメージ画像を含んでおり、 前記画像情報記憶部は、 前記イメージ画像の内容を示す名称情報を記憶しており、 前記消耗品情報制御手段は、 前記画像情報記憶部から前記画像情報を読み出す際に、前記イメージ画像の前記名称情報を読み出し、前記消耗品情報通知画面を表示する際に、前記消耗品型番情報と前記名称情報を合わせて表示することを特徴とする請求項１に記載の周辺機器制御装置。
【請求項３】
前記周辺機器は印刷装置であり、 前記消耗品はインクまたはトナー等の印刷消耗品であり、 前記画像情報記憶部は、前記消耗品型番情報に対応する前記印刷消耗品の色彩情報を前記消耗品型番情報に関連付けて記憶し、 前記消耗品情報制御手段は、 前記画像情報記憶部から前記画像情報を読み出す際に、対応する前記色彩情報を読み出し、前記消耗品情報通知画面を表示する際に、表示する前記デザインの一部に前記色彩情報に基づいて色彩を付して表示することを特徴とする請求項１または２に記載の周辺機器制御装置。
【請求項４】
前記画像情報記憶部は、 所定のテキストメッセージを記憶しており、 前記消耗品情報制御手段は、 前記画像情報記憶部から前記画像情報を読み出す際に、前記消耗品情報表示指示に含まれている所定の情報に従って、前記テキストメッセージを読み出し、前記消耗品情報通知画面を表示する際に、前記テキストメッセージを合わせて表示することを特徴とする請求項１乃至３のいずれか１つに記載の周辺機器制御装置。
【請求項５】
前記送受信手段は、ユーザの操作の下で前記端末装置の入力手段から更新指示を受信し、 前記消耗品情報制御手段は、 前記送受信手段から更新指示を受信し、前記端末装置が予め記憶している更新情報を読み込み、前記更新情報に基づいて前記画像情報記憶部が記憶している情報を更新することを特徴とする請求項１乃至４のいずれか１つに記載の周辺機器制御装置。
【請求項６】
端末装置の周辺機器の機種情報と前記周辺機器が利用している消耗品の消耗品型番情報に、前記消耗品の包装に付されている所定のデザインに対応する画像情報を関連付けて予め記憶する画像情報記憶部を備えた周辺機器制御装置のデータ表示方法であって、 消耗品情報表示指示を受信する過程と、 前記消耗品情報表示指示に含まれる前記機種情報と前記消耗品型番情報に対応する前記画像情報を前記画像情報記憶部から読み出す過程と、 読み出した前記画像情報に基づいて構成した消耗品情報通知画面を前記端末装置の画面に表示する過程と、 を有することを特徴とするデータ表示方法。
【請求項７】
端末装置の周辺機器の機種情報と前記周辺機器が利用している消耗品の消耗品型番情報に、前記消耗品の包装に付されている所定のデザインに対応する画像情報を関連付けて予め記憶する画像情報記憶部を備えた周辺機器制御装置のコンピュータに、 消耗品情報表示指示を受信する手順、 前記消耗品情報表示指示に含まれる前記機種情報と前記消耗品型番情報に対応する前記画像情報を前記画像情報記憶部から読み出す手順、 読み出した前記画像情報に基づいて構成した消耗品情報通知画面を前記端末装置の画面に表示する手順、 を実行させるコンピュータプログラム。
【手続補正２】
【補正対象書類名】明細書
【補正対象項目名】０００５
【補正方法】変更
【補正の内容】
【０００５】
上述した課題を解決するために、請求項１に記載の発明は、消耗品情報表示指示を受信する送受信手段（送受信手段１）と、端末装置（端末装置２０）の周辺機器（周辺機器２５）の機種情報と前記周辺機器が利用している消耗品の消耗品型番情報に、前記消耗品の包装（パッケージ４０）に付されている所定のデザインに対応する画像情報を関連付けて予め記憶する画像情報記憶部（画像情報記憶部３）と、前記送受信手段から前記消耗品情報表示指示を受信し、前記消耗品情報表示指示に含まれる前記機種情報と
前記消耗品型番情報に対応する前記画像情報を前記画像情報記憶部から読み出して、前記画像情報に基づいて構成した消耗品情報通知画面（消耗品情報通知画面３０）を端末装置の画面（画面２１）に表示する消耗品情報制御手段（消耗品情報制御手段２）と、を備えたことを特徴とする周辺機器制御装置（周辺機器制御装置１０）である。
【手続補正３】
【補正対象書類名】明細書
【補正対象項目名】００１０
【補正方法】変更
【補正の内容】
【００１０】
請求項６に記載の発明は、端末装置の周辺機器の機種情報と前記周辺機器が利用している消耗品の消耗品型番情報に、前記消耗品の包装に付されている所定のデザインに対応する画像情報を関連付けて予め記憶する画像情報記憶部を備えた周辺機器制御装置のデータ表示方法であって、消耗品情報表示指示を受信する過程と、前記消耗品情報表示指示に含まれる前記機種情報と前記消耗品型番情報に対応する前記画像情報を前記画像情報記憶部から読み出す過程と、読み出した前記画像情報に基づいて構成した消耗品情報通知画面を前記端末装置の画面に表示する過程と、を有することを特徴とするデータ表示方法である。
【手続補正４】
【補正対象書類名】明細書
【補正対象項目名】００１１
【補正方法】変更
【補正の内容】
【００１１】
請求項７に記載の発明は、端末装置の周辺機器の機種情報と前記周辺機器が利用している消耗品の消耗品型番情報に、前記消耗品の包装に付されている所定のデザインに対応する画像情報を関連付けて予め記憶する画像情報記憶部を備えた周辺機器制御装置のコンピュータに、消耗品情報表示指示を受信する手順、前記消耗品情報表示指示に含まれる前記機種情報と前記消耗品型番情報に対応する前記画像情報を前記画像情報記憶部から読み出す手順、読み出した前記画像情報に基づいて構成した消耗品情報通知画面を前記端末装置の画面に表示する手順、を実行させるコンピュータプログラムである。
【手続補正５】
【補正対象書類名】明細書
【補正対象項目名】００１２
【補正方法】変更
【補正の内容】
【００１２】
この発明によれば、周辺機器制御装置が消耗品の包装に付されているデザインに対応する画像情報を、周辺機器の機種情報と当該消耗品の型番に関連付けて記憶している。そして、周辺機器から消耗品情報表示指示を受信した際に、消耗品表示指示に含まれている周辺機器の機種情報と消耗品の型番の情報に対応する画像情報を読み出して、端末画面に前記画像情報をあしらった消耗品情報通知画面を表示する構成となっている。そのため、ユーザにデザインを印象付けることができ、そのユーザは消耗品の型番だけの情報よりも容易に目的の商品を見つけ出すことができるという効果がある。
【手続補正書】
【提出日】平成18年12月27日(2006.12.27)
【手続補正１】
【補正対象書類名】明細書
【補正対象項目名】００４２
【補正方法】変更
【補正の内容】
【００４２】
次に，本実施形態にかかるマルチメディア再生装置について図２を参照しながら説明する。図２は，マルチメディア再生装置の概略構成を示す機能ブロック図である。マルチメディア再生装置２００は、上記操作部２１０、データ入出力部２２０、表示出力部２３０、
制御部２４０、記憶部２５０、コンテンツ実行部２６０を含む。マルチメディア再生装置２００は、ハードウエアで構成しても，ソフトウエアで構成してもよく，これらの組合せで構成してもよい。マルチメディア再生装置２００はハードウエア的には、例えばコンピュータのＣＰＵ（中央処理装置）やハードディスク、メモリ、描画回路などで具現化することができる。また，マルチメディア再生装置２００は，ソフトウエア的には，例えばデータ入力機能、データ保持機能、画像処理機能、描画機能などの諸機能を発揮するプログラムで具現化することができる。このように，図２に示す機能ブロックは，ハードウエア、ソフトウエアの組合せによって様々な形で実現することができる。
【手続補正２】
【補正対象書類名】明細書
【補正対象項目名】００４８
【補正方法】変更
【補正の内容】
【００４８】
制御部２４０は、例えばメディアアイコンで示されるメディアの種類とメディアごとに提供する諸機能とをメニュー項目として管理するメニュー管理部２４２、各コンテンツの再生または実行を制御するコンテンツ制御部２４４、メニュー画面におけるアイコンの動作を処理するエフェクト処理部２４８、メニュー画面の画像データを生成する画像生成部２４６を有する。
【手続補正３】
【補正対象書類名】明細書
【補正対象項目名】００５２
【補正方法】変更
【補正の内容】
【００５２】
コンテンツ実行部２６０は、ディスク読取部２２６によって光ディスク１５０から読出されるゲームプログラムなどのコンテンツプログラムまたは記憶部２５０から実行する。コンテンツ実行部２６０は、操作部２１０により取得されるユーザの指示に基づいてゲ−ムプログラムの動作を処理するとともに、ゲームの映像および音声を表示出力部２３０へ送る。
【手続補正４】
【補正対象書類名】明細書
【補正対象項目名】００８９
【補正方法】変更
【補正の内容】
【００８９】
さらに，ユーザによるサムネイルアイコンの選択決定を指示決定部２１６が受付けると（Ｓ１６０），コンテンツ制御部２４４は，上記サムネイルアイコンに該当するコンテンツの再生処理等を開始するよう表示出力部２３０に指示する。
【手続補正５】
【補正対象書類名】明細書
【補正対象項目名】０１０１
【補正方法】変更
【補正の内容】
【０１０１】
メディアアイコンが配置されていた横軸の位置まで，縦軸が回転すると，図１１に示すように，選択されたサムネイルアイコン群を先頭に，右方向に順に他のサムネイルアイコン群が表示される。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
イメージデータから罫線を抽出し、当該罫線に従って文字認識領域となる領域を生成する情報処理装置であって、
前記生成された領域を選択し、当該選択された領域の大きさを変更指示する変更指示手段と、
前記イメージデータの解像度に従って、前記選択された領域の大きさを変更するための第１の変更量を決定する決定手段と、
前記変更指示手段により変更指示がなされた場合、前記第１の変更量に従って前記選択された領域を、上下左右方向に一括して領域変更処理を行う領域変更手段と、
前記領域変更手段により領域変更処理した領域ごとに、文字認識時に使用する設定情報を作成する作成手段と、
前記作成手段で作成された前記領域ごとの設定情報をまとめて、文字認識用のテンプレートとして保存する文字認識設定情報保存手段と、
前記文字認識設定情報保存手段で保存されたテンプレートを用いて記入済みの帳票の文字認識を行う場合には、前記テンプレートに定義されている領域ごとの設定情報に従って、入力されたイメージデータに対して文字認識する文字認識手段と、
を備えることを特徴とする情報処理装置。
【請求項２】
前記第１の変更量は文字認識の処理方法に応じて変更されることを特徴とする請求項１に記載の情報処理装置。
【請求項３】
前記設定情報は少なくとも領域位置情報と文字認識辞書情報を含むことを特徴とする請求項１または２に記載の情報処理装置。
【請求項４】
前記領域変更手段は、前記選択された領域に近接する罫線を抽出し、当該罫線に外接する領域を決定し、当該外接する領域と前記選択された領域の差及び前記第１の変更量に従って第２の変更量を算出し、前記近接する罫線が前記選択された領域に含まれるように当該第２の変更量に従って、前記選択された領域を上下左右方向に一括して領域変更処理することを特徴とする請求項１乃至３に記載の情報処理装置。
【請求項５】
前記生成された領域が複数選択されたかを判定する判定手段と、
前記生成された領域が複数選択された場合、前記領域変更手段は前記複数選択された領域から結合領域を作成し、当該作成した結合領域を上下左右方向に一括して領域変更処理することを特徴とする請求項１乃至４に記載の情報処理装置。
【請求項６】
前記領域変更手段は、前記上下左右方向に一括して変更処理された領域を保持し、前記複数選択された領域を削除することを特徴とする請求項５に記載の情報処理装置。
【請求項７】
前記領域変更手段は前記選択された領域に対して前記第１の変更量分の拡大処理または縮小処理を行うことを特徴とする請求項１に記載の情報処理装置。
【請求項８】
前記選択された領域をプレビュー表示させる表示手段を備えることを特徴とする請求項１乃至７に記載の情報処理装置。
【請求項９】
イメージデータから罫線を抽出して文字認識領域となる領域を生成し、当該生成された領域の大きさを変更指示する変更指示手段を備える情報処理装置における処理方法であって、
前記イメージデータの解像度に従って、前記選択された領域の大きさを変更するための第１の変更量を決定する決定ステップと、
前記変更指示手段により変更指示がなされた場合、前記第１の変更量に従って前記選択された領域を、上下左右方向に一括して領域変更処理を行う領域変更ステップと、
前記領域変更ステップにより領域変更処理した領域ごとに、文字認識時に使用する設定情報を作成する作成ステップと、
前記作成ステップで作成された前記領域ごとの設定情報をまとめて、文字認識用のテンプレートとして保存する文字認識設定情報保存ステップと、
前記文字認識設定情報保存ステップで保存されたテンプレートを用いて記入済みの帳票の文字認識を行う場合には、前記テンプレートに定義されている領域ごとの設定情報に従って、入力されたイメージデータに対して文字認識する文字認識ステップと、
を備えることを特徴とする処理方法。
【請求項１０】
請求項９に記載された処理方法をコンピュータに実行させるためのプログラム。
【請求項１１】
請求項９に記載された処理方法をコンピュータに実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置および処理方法およびプログラムおよび記録媒体
【手続補正３】
【補正対象書類名】明細書
【補正対象項目名】０００１
【補正方法】変更
【補正の内容】
【０００１】
本発明は、イメージデータ上に選択領域を作成する情報処理装置および処理方法およびプログラムおよび記録媒体に関する。
【手続補正４】
【補正対象書類名】明細書
【補正対象項目名】００１２
【補正方法】変更
【補正の内容】
【００１２】
本発明は、上記の問題点を解決するためになされたもので、本発明の目的は、従来に比べて少ない作業工数により、イメージデータ上に領域データを容易に設定できるようにし、ＯＣＲ用のテンプレートの作成の手間を省き（作業効率を向上し）、作業ミスも防止するとともに、作業者の作業経験等に影響されることなく一定の精度のＯＣＲテンプレート用の領域データを作成することができる仕組を提供することである。
【手続補正５】
【補正対象書類名】明細書
【補正対象項目名】００１３
【補正方法】変更
【補正の内容】
【００１３】
本発明は、イメージデータから罫線を抽出し、当該罫線に従って文字認識領域となる領域を生成する情報処理装置であって、前記生成された領域を選択し、当該選択された領域の大きさを変更指示する変更指示手段と、前記イメージデータの解像度に従って、前記選択された領域の大きさを変更するための第１の変更量を決定する決定手段と、前記変更指示手段により変更指示がなされた場合、前記第１の変更量に従って前記選択された領域を、上下左右方向に一括して領域変更処理を行う領域変更手段と、前記領域変更手段により領域変更処理した領域ごとに、文字認識時に使用する設定情報を作成する作成手段と、前記作成手段で作成された前記領域ごとの設定情報をまとめて、文字認識用のテンプレートとして保存する文字認識設定情報保存手段と、前記文字認識設定情報保存手段で保存されたテンプレートを用いて記入済みの帳票の文字認識を行う場合には、前記テンプレートに定義されている領域ごとの設定情報に従って、入力されたイメージデータに対して文字認識する文字認識手段と、を備えることを特徴とする。
【手続補正６】
【補正対象書類名】明細書
【補正対象項目名】００１４
【補正方法】変更
【補正の内容】
【００１４】
本発明によれば、従来に比べて少ない作業工数により、イメージデータ上に領域データを容易に設定することができ、ＯＣＲ用のテンプレートの作成の手間を省くことができ（作業効率を向上することができ）、作業ミスの防止効果も奏する。
【手続補正７】
【補正対象書類名】明細書
【補正対象項目名】００１５
【補正方法】変更
【補正の内容】
【００１５】
また、作業者の作業経験等に影響されることなく、一定の精度のＯＣＲテンプレート用の領域データを作成することができる。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
蛍光体絵素と、この蛍光体絵素を取り囲むブラックマトリクス膜と、このブラックマトリクス膜と前記蛍光体絵素を覆う金属薄膜を有する蛍光面と、
この蛍光面に向けて電子を放出する電子源とを真空外囲器内に備え、
前記蛍光体絵素及びブラックマトリクス膜の一方又は両方はホウ素を含むことを特徴とする表示装置。
【請求項２】
前記真空外囲器は、前記蛍光面を有する略皿状のパネル部と、前記電子源を備えた筒状のネック部と、このネック部と前記パネル部を連接する筒状のファンネル部とを備えたことを特徴とする請求項１に記載の表示装置。
【請求項３】
前記真空外囲器は、前記蛍光面を有する平板状の前面基板と、前記電子源を備えた平板状の背面基板と、この背面基板と前記前面基板の周縁部間に介挿された封止枠とを備えたことを特徴とする請求項１に記載の表示装置。
【請求項４】
前記ホウ素は前記蛍光体絵素、ブラックマトリクス膜の何れか一つ又は複数の表面層を覆っていることを特徴とする請求項１乃至３の何れかに記載の表示装置。
【請求項５】
前記ファンネル部内壁面に黒鉛を主成分とする内装導電膜を備え、この内装導電膜は前記ホウ素を含むことを特徴とする前記請求項２に記載の表示装置。
【請求項６】
前記ホウ素は前記蛍光体絵素、ブラックマトリクス膜及び内装導電膜の何れか一つ又は複数の表面層を覆っていることを特徴とする請求項５に記載の表示装置。
【請求項７】
蛍光体絵素と、この蛍光体絵素を取り囲むブラックマトリクス膜と、このブラックマトリクス膜と前記蛍光体絵素を覆う金属薄膜を有する蛍光面と、
この蛍光面に向けて電子を放出する電子源とを真空外囲器内に備え、
前記蛍光体絵素及びブラックマトリクス膜はホウ素により表面層が覆われていることを特徴とする表示装置。
【請求項８】
内面に蛍光面を形成したパネル部と、電子源を備えたネック部と、前記パネル部と前記ネック部を連接するファンネル部とからなる真空外囲器を有する表示装置であって、
前記ファンネル部は内面に内装導電膜を備え、この内装導電膜はホウ素を含むことを特徴とする表示装置。
【手続補正２】
【補正対象書類名】明細書
【補正対象項目名】００２３
【補正方法】変更
【補正の内容】
【００２３】
本発明は、蛍光体絵素及びＢＭ膜の少なくとも一方からのガス放出を抑制出来るので、動作中の真空度劣化を防止でき、陰極の電子放射面の損傷を防止して高精細、長寿命の表示装置を提供することが出来る。
【手続補正３】
【補正対象書類名】明細書
【補正対象項目名】００２４
【補正方法】変更
【補正の内容】
【００２４】
また本発明は、陰極線管の蛍光体絵素、ＢＭ膜少なくとも１方及び内装導電膜からのガス放出を抑制出来るので、動作中の真空度劣化を防止でき、陰極の電子放射面の損傷を防止して高精細、長寿命の陰極線管を提供することが出来る。
【手続補正４】
【補正対象書類名】明細書
【補正対象項目名】００２５
【補正方法】変更
【補正の内容】
【００２５】
また本発明は、内装導電膜からのガス放出を抑制出来るので、排気時間の短縮が可能となり、作業効率の向上と原価低減が可能となる。
【手続補正５】
【補正対象書類名】明細書
【補正対象項目名】００２６
【補正方法】変更
【補正の内容】
【００２６】
また本発明は、平面型表示装置で前面基板の内表面の略全面に配置され、かつ最もガス放出源となる可能性の高い蛍光体絵素及びＢＭ膜の少なくとも一方からのガス放出を抑制出来るので、動作中の真空度劣化を防止でき、陰極の電子放射面の損傷を防止して高精細、長寿命の平面型表示装置を提供することが出来る。
【手続補正６】
【補正対象書類名】明細書
【補正対象項目名】００２７
【補正方法】変更
【補正の内容】
【００２７】
また本発明は、蛍光体絵素、ＢＭ膜及び内装導電膜は一般に表面が多孔質であることから、例えばスプレー方式でホウ素の被着が可能で、作業性も優れている。
【手続補正７】
【補正対象書類名】明細書
【補正対象項目名】００２８
【補正方法】変更
【補正の内容】
【００２８】
また本発明は、蛍光体絵素、ＢＭ膜及び内装導電膜製造用スラリーにホウ素を加えることで絵素、膜の製造と同時に形成することが可能となり、作業工程を短縮できる。
【手続補正書】
【提出日】平成19年1月25日(2007.1.25)
【手続補正１】
【補正対象書類名】明細書
【補正対象項目名】００２２
【補正方法】変更
【補正の内容】
【００２２】
ここで、各芯線４１とランド３４とを半田４０付けによって接続するが、シャーシ２の上方が完全に開放されており、障害がなく半田付けが容易にできるとともに、半田４０が芯線４１を廻り込んで芯線４１とランド３４の隙間に侵入し、芯線４１の全長にわたってしっかりと接続される。とくに、本例の共聴用増幅器１では、４本の接栓４のうち左端とその隣の接栓（入力端子）４−１・４−２からテレビ信号を入力し、右端の接栓（出力端子）４−４から増幅した信号を出力する。接栓４−４の左隣の接栓４−３はモニタ出力用端子である（図１参照）。
【手続補正書】
【提出日】平成19年1月23日(2007.1.23)
【手続補正１】
【補正対象書類名】明細書
【補正対象項目名】００１０
【補正方法】変更
【補正の内容】
【００１０】
上記の課題を解決するため、本発明においては、スナップショット管理テーブルにより仮想論理ボリュームを生成し、仮想論理ボリュームを用いてリモートコピーの作成を行うことを第１の手段とするものである。また、仮想論理ボリュームを更新する際に、リモートコピーとの差分の生じた領域を示す第１のビットマップを作成し、さらにスナップショットの差分データを書き込む際に、差分データの領域を示す第２のビットマップを作成することを第２の手段とするものである。
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
ファイルレベル入出力の為の第一インタフェースと、
ブロックレベル入出力の為の第二インタフェースと、
論理ボリュームが展開される複数の物理ボリュームと、
ファイルレベル入出力要求を処理する第一コントローラと、
ブロックレベル入出力要求を処理する第二コントローラと、
を装備し、物理ボリューム上のデータをファイルシステムレベルで保護し物理ボリュームレベルで該データにアクセス許可する、ストレージシステムにおいて、
前記第一コントローラと前記第二コントローラは前記論理ボリューム及び前記物理ボリュームの保護情報を共有し、
アーカイブ済データは、前記第一インタフェースで保存され、ファイルシステムレベルで保護され、前記第一インタフェースと前記第二インタフェースの両インタフェースでアクセス可能で、何れのインタフェースからも保護される、
ことを特徴とする、ストレージシステム。
【請求項２】
前記複数の物理ボリュームは、前記アーカイブ済データを保存する為に、適切なサイズのファイルシステムを生成できることを特徴とする、請求項１のストレージシステム。
【請求項３】
前記共有保護情報は、前記論理ボリューム及び前記物理ボリュームのステータスを表示する複数のエントリを有するボリュームステータステーブルであることを特徴とする、請求項２のストレージシステム。
【請求項４】
前記エントリは、ボリュームが論理ボリュームであるか物理ボリュームであるかを表示することを特徴とする、請求項３のストレージシステム。
【請求項５】
前記エントリは、各ボリュームが保護済であるか未保護であるかを定義する該ボリュームの第一ステータスを表示することを特徴とする、請求項３のストレージシステム。
【請求項６】
前記エントリは、各ボリュームがエクスポート済であるか未エクスポートであるかを定義する該ボリュームの第二ステータスを表示することを特徴とする、請求項３のストレージシステム。
【請求項７】
前記エントリは、各ボリュームの保存期間を定義する該ボリュームの第三ステータスを表示することを特徴とする、請求項３のストレージシステム。
【請求項８】
前記ボリュームの前記保存期間が過ぎると、前記第一コントローラ又は前記第二コントローラが受信する要求で、該ボリューム内のデータは変更可能になることを特徴とする、請求項７のストレージシステム。
【請求項９】
前記第一コントローラは、ファイルレベル入出力要求を処理するＮＡＳ(Network
Attached Storage)コントローラであることを特徴とする、請求項１のストレージシステ
ム。
【請求項１０】
前記第二コントローラは、ブロックレベル入出力要求を処理するディスクコントローラであることを特徴とする、請求項１のストレージシステム。
【請求項１１】
前記第一インタフェースは、ファイルレベル入出力要求を処理するイーサネット（登録商標）インタフェースであることを特徴とする、請求項１のストレージシステム。
【請求項１２】
前記第二インタフェースは、ブロックレベル入出力要求を処理するファイバチャネルインタフェースであることを特徴とする、請求項１のストレージシステム。
【請求項１３】
ＮＡＳ(Network Attached Storage)ゲートウェイと、
前記ＮＡＳゲートウェイに接続されたストレージシステムと、
を備え、物理ボリューム上のデータをファイルシステムレベルで保護し、物理ボリュームレベルで該データにアクセス許可するシステムにおいて、
前記ＮＡＳゲートウェイは、
ファイルレベル入出力の為の第一インタフェースと、
ブロックレベル入出力の為の第三インタフェースと、
ファイルレベル入出力要求を処理する第一コントローラと、
を備え、
前記ストレージシステムは、
前記第三インタフェースに接続されるブロックレベル入出力の為の第二インタフェースと、
論理ボリュームが展開される複数の物理ボリュームと、
ブロックレベル入出力要求を処理する第二コントローラと、
を備え、
前記第一と第二のコントローラは、前記論理ボリューム及び前記物理ボリュームの保護情報を共有し、
アーカイブ済データは、前記ＮＡＳゲートウェイの前記第一インタフェースから前記第三インタフェースを経由して前記第二インタフェースに保存され、ファイルシステムレベルで保護され、前記第一インタフェースと前記第二インタフェースの両インタフェースからアクセス可能で、何れのインタフェースからも保護される、
ことを特徴とするシステム。
【請求項１４】
前記複数の物理ボリュームは、前記アーカイブ済データを保存する為に、適切なサイズのファイルシステムを生成できることを特徴とする、請求項１３のシステム。
【請求項１５】
前記共有保護情報は、前記論理ボリューム及び前記物理ボリュームのステータスを表示する複数のエントリを有するボリュームステータステーブルであることを特徴とする、請求項１４のシステム。
【請求項１６】
前記エントリは、ボリュームが論理ボリュームであるか物理ボリュームであるかを表示することを特徴とする、請求項１５のシステム。
【請求項１７】
前記エントリは、各ボリュームが保護済であるか未保護であるかを定義する該ボリュームの第一ステータスを表示することを特徴とする、請求項１５のシステム。
【請求項１８】
前記エントリは、各ボリュームがエクスポート済であるか未エクスポートであるかを定義する該ボリュームの第二ステータスを表示することを特徴とする、請求項１５のシステム。
【請求項１９】
前記エントリは、各ボリュームの保存期間を定義する該ボリュームの第三ステータスを表示することを特徴とする、請求項１５のシステム。
【請求項２０】
前記ボリュームの前記保存期間が過ぎると、前記第一コントローラ又は前記第二コントローラが受信する要求で、該ボリューム内のデータは変更可能になることを特徴とする、請求項１９のシステム。
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
ユーザが着座する椅子と、この椅子の前に置かれた机と、この机の上に置かれたディスプレイとを含み指令信号により物理的作業条件を可変とするＶＤＴ作業関連機具を用いてＶＤＴ作業をする前記ユーザに対する作業状況監視センサの出力に基づいて、前記ユーザのＶＤＴ作業負荷量を算出する算出手段と、
ＶＤＴ作業負荷量に基づいて、ＶＤＴ作業関連機具に対して物理的作業条件の変更を指令する指令信号を送出する指令手段と、
を備える、ことを特徴とするＶＤＴ作業環境制御装置。
【請求項２】
請求項１に記載のＶＤＴ作業環境制御装置において、
指令手段は、ディスプレイを見る前記ユーザの目への負荷を低減する方向へと物理的作業条件の変更を指令する、ことを特徴とするＶＤＴ作業環境制御装置。
【請求項３】
請求項１に記載のＶＤＴ作業環境制御装置において、
指令手段は、前記ユーザの筋肉の緊張を低減する方向へと物理的作業条件の変更を指令する、ことを特徴とするＶＤＴ作業環境制御装置。
【請求項４】
請求項１に記載のＶＤＴ作業環境制御装置において、
指令手段は、前記ユーザのＶＤＴ作業の継続を困難にする方向へと物理的作業条件の変更を指令する、ことを特徴とするＶＤＴ作業環境制御装置。
【請求項５】
請求項１乃至４のいずれか１項に記載のＶＤＴ作業環境制御装置において、
物理的作業条件は、椅子とディスプレイの相対的高さについての条件である、ことを特徴とするＶＤＴ作業環境制御装置。
【請求項６】
請求項１乃至４のいずれか１項に記載のＶＤＴ作業環境制御装置において、
物理的作業条件は、椅子とディスプレイの水平距離についての条件である、ことを特徴とするＶＤＴ作業環境制御装置。
【請求項７】
請求項１乃至４のいずれか１項に記載のＶＤＴ作業環境制御装置において、
物理的作業条件は、ディスプレイの輝度についての条件である、ことを特徴とするＶＤＴ作業環境制御装置。
【請求項８】
請求項１乃至４のいずれか１項に記載のＶＤＴ作業環境制御装置において、
前記ＶＤＴ作業関連機具は机付近を照らす照明器具を含み、
物理的作業条件は、照明器具の照度についての条件である、ことを特徴とするＶＤＴ作業環境制御装置。
【請求項９】
請求項１乃至３のいずれか１項に記載のＶＤＴ作業環境制御装置において、
物理的作業条件は、椅子の温度についての条件である、ことを特徴とするＶＤＴ作業環境制御装置。
【請求項１０】
請求項５または６に記載のＶＤＴ作業環境制御装置において、
指令手段が物理的作業条件の変更を指令する前に、ユーザに変更を予告するための指令を行う指令信号を送出する予告指令手段を含む、ことを特徴とするＶＤＴ作業環境制御装置。
【請求項１１】
請求項１に記載のＶＤＴ作業環境制御装置において、
作業状況監視センサは、椅子のユーザ接触面に取り付けられた圧力センサ、キーボードの打刻速度、打刻圧力、打刻継続時間の少なくとも一つを測定するセンサ、ユーザに取り付けられユーザの筋電量を測定するセンサ、ユーザを撮像するセンサ、の少なくとも一つを含む、ことを特徴とするＶＤＴ作業環境制御装置。
【請求項１２】
請求項１に記載のＶＤＴ作業環境制御装置において、
ＶＤＴ作業関連機具はマウスを含み、
作業状況監視センサはマウスに取り付けられた筋電量測定センサである、ことを特徴とするＶＤＴ作業環境制御装置。
【請求項１３】
請求項１に記載のＶＤＴ作業環境制御装置において、
指令手段が物理的作業条件の変更を指令した後に、作業状況監視センサの出力に基づいて前記ユーザの作業負荷の改善を検知する検知手段と、
検知手段が改善を検知した場合に、ＶＤＴ作業関連機具に対して物理的作業条件を当初の設定に戻すように指令する指令信号を送出する再指令手段と、
を備える、ことを特徴とするＶＤＴ作業環境制御装置。
【請求項１４】
請求項１に記載された椅子であって、
指令信号により、水平位置または高さを変更する機構を備え、
請求項１に記載の制御装置からの変更指令に基づいて、水平位置または高さについての物理的作業条件を変更する椅子。
【請求項１５】
請求項１に記載された机であって、
指令信号により、水平位置または高さを変更する機構を備え、
請求項１に記載の制御装置からの変更指令に基づいて、水平位置または高さについての物理的作業条件を変更する机。
【請求項１６】
請求項１に記載されたディスプレイであって、
指令信号により、水平位置、高さ、輝度の少なくとも一つを変更する機構を備え、
請求項１に記載の制御装置からの変更指令に基づいて、水平位置、高さ、輝度の少なくとも一つについての物理的作業条件を変更するディスプレイ。
【請求項１７】
請求項８に記載された照明器具であって、
指令信号により、照度を変更する機構を備え、
請求項１に記載の制御装置からの変更指令に基づいて、照度を変更する照明器具。
【請求項１８】
コンピュータを、
ユーザが着座する椅子と、この椅子の前に置かれた机と、この机の上に置かれたディスプレイとを含み指令信号により物理的作業条件を可変とするＶＤＴ作業関連機具を用いてＶＤＴ作業をする前記ユーザに対する作業状況監視センサの出力に基づいて、前記ユーザのＶＤＴ作業負荷量を算出する算出手段、
ＶＤＴ作業負荷量に基づいて、ＶＤＴ作業関連機具に対して物理的作業条件の変更を指令する指令信号を送出する指令手段、
として機能させることを特徴とするＶＤＴ作業環境制御プログラム。
【手続補正２】
【補正対象書類名】明細書
【補正対象項目名】００２９
【補正方法】変更
【補正の内容】
【００２９】
本発明のディスプレイは、指令信号により、照度を変更する機構を備え、制御装置からの変更指令に基づいて、照度を変更する。
本発明のＶＤＴ作業環境制御プログラムは、コンピュータを、ユーザが着座する椅子と、この椅子の前に置かれた机と、この机の上に置かれたディスプレイとを含み指令信号により物理的作業条件を可変とするＶＤＴ作業関連機具を用いてＶＤＴ作業をする前記ユーザに対する作業状況監視センサの出力に基づいて、前記ユーザのＶＤＴ作業負荷量を算出する算出手段、ＶＤＴ作業負荷量に基づいて、ＶＤＴ作業関連機具に対して物理的作業条件の変更を指令する指令信号を送出する指令手段、として機能させる。
【手続補正書】
【提出日】平成18年12月14日(2006.12.14)
【手続補正１】
【補正対象書類名】特許請求の範囲
【補正対象項目名】請求項１５
【補正方法】変更
【補正の内容】
【請求項１５】
端末から受信したプリントジョブを処理する画像形成装置の制御方法であって、
前記プリントジョブに関する情報のうち、前記プリントジョブに関する情報の要求者に応じた情報を前記表示手段により表示させることを特徴とする画像形成装置の制御方法。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
複数の罫線で構成される帳票画像に対応する画像を登録帳票画像の中から認識する帳票認識装置であって、
認識対象の帳票画像を入力する入力手段と、
前記認識対象の帳票画像の形状特徴量で特定される該帳票画像の構成要素の内、隣接する構成要素同士が同一の色情報を有していると判定される場合、前記隣接する構成要素同士を統合する統合手段と、
前記統合手段による統合処理後の帳票画像と、比較対象の登録帳票画像との類似度を算出する算出手段と、
前記算出手段の算出結果に基づいて、前記帳票画像に対応する登録帳票画像を決定する決定手段と
を備えることを特徴とする帳票認識装置。
【請求項２】
前記算出手段は、形状特徴量と色情報に関し、前記統合処理後の帳票画像と前記比較対象の登録帳票画像との類似度を算出する
ことを特徴とする請求項１に記載の帳票認識装置。
【請求項３】
前記認識対象の帳票画像の形状特徴量と、前記比較対象の登録画像の形状特徴量との類似度が閾値以上であるか否かを判定する判定手段を更に備え、
前記判定手段による判定の結果、前記類似度が閾値以上である場合、前記統合手段及び前記算出手段を実行する
ことを特徴とする請求項１に記載の帳票認識装置。
【請求項４】
前記構成要素は、前記帳票画像を構成する罫線部分、前記罫線部分で囲まれるセル領域、前記セル領域内の文字領域のいずれかである
ことを特徴とする請求項１に記載の帳票認識装置。
【請求項５】
前記色情報は、前記帳票画像を構成する罫線部分の色、前記罫線部分で囲まれるセル領域の色、前記セル領域内の文字領域の文字画像の色である
ことを特徴とする請求項１に記載の帳票認識装置。
【請求項６】
前記認識対象の帳票画像の形状特徴量で特定される該帳票画像の構成要素の内、隣接する構成要素同士が同一の色情報を有しているか否かを判定する色情報判定手段を更に備え、
前記色情報判定手段は、隣接する構成要素同士の色情報の差が一定範囲内にある場合、前記隣接する構成要素同士が同一の色情報を有していると判定する
ことを特徴とする請求項１に記載の帳票認識装置。
【請求項７】
複数の罫線で構成される帳票画像に対応する画像を登録帳票画像の中から認識する帳票認識装置の制御方法であって、
認識対象の帳票画像を入力する入力工程と、
前記認識対象の帳票画像の形状特徴量で特定される該帳票画像の構成要素の内、隣接する構成要素同士が同一の色情報を有していると判定される場合、前記隣接する構成要素同士を統合する統合工程と、
前記統合工程による統合処理後の帳票画像と、比較対象の登録帳票画像との類似度を算出する算出工程と、
前記算出工程の算出結果に基づいて、前記帳票画像に対応する登録帳票画像を決定する決定工程と
を備えることを特徴とする帳票認識装置の制御方法。
【請求項８】
複数の罫線で構成される帳票画像に対応する画像を登録帳票画像の中から認識する帳票認識装置の制御をコンピュータに実行させるためのプログラムであって、
認識対象の帳票画像を入力する入力工程と、
前記認識対象の帳票画像の形状特徴量で特定される該帳票画像の構成要素の内、隣接する構成要素同士が同一の色情報を有していると判定される場合、前記隣接する構成要素同士を統合する統合工程と、
前記統合工程による統合処理後の帳票画像と、比較対象の登録帳票画像との類似度を算出する算出工程と、
前記算出工程の算出結果に基づいて、前記帳票画像に対応する登録帳票画像を決定する決定工程と
をコンピュータに実行させることを特徴とするプログラム。
【手続補正書】
【提出日】平成19年4月4日(2007.4.4)
【手続補正１】
【補正対象書類名】明細書
【補正対象項目名】請求項５
【補正方法】変更
【補正の内容】
【請求項５】  前記調整値取得工程は、前記複数の第１および第２パターンについて測定されるそれぞれの光学特性としての濃度の変化を前記変化特性として求めることを特徴とする請求項１ないし４のいずれかに記載のプリント位置合わせ方法。
【手続補正２】
【補正対象書類名】明細書
【補正対象項目名】請求項１３
【補正方法】変更
【補正の内容】
【請求項１３】  前記調整値取得手段は、前記複数の第１および第２パターンについて測定されるそれぞれの光学特性としての濃度の変化を前記変化特性として求めることを特徴とする請求項９ないし１２のいずれかに記載のプリント装置。
【手続補正３】
【補正対象書類名】明細書
【補正対象項目名】請求項１９
【補正方法】変更
【補正の内容】
【請求項１９】  前記調整値取得手段は、前記複数の第１および第２パターンについて測定されるそれぞれの光学特性としての濃度の変化を前記変化特性として求めることを特徴とする請求項１５ないし１８のいずれかに記載のプリントシステム。
【手続補正書】
【提出日】平成19年1月17日(2007.1.17)
【手続補正１】
【補正対象書類名】明細書
【補正対象項目名】請求項５
【補正方法】変更
【補正の内容】
【請求項５】  前記調整値取得工程は、前記パターンを形成する場合の前記ずれ量より細かいピッチのドット形成位置条件に従って前記調整値を得ることを特徴とする請求項１ないし４のいずれかに記載のプリント位置合わせ方法。
【手続補正２】
【補正対象書類名】明細書
【補正対象項目名】請求項６
【補正方法】変更
【補正の内容】
【請求項６】  前記パターン形成工程では、プリント装置が制御可能なプリント位置のピッチよりも大きなピッチでのパターン形成を行うことを特徴とする請求項１ないし５のいずれかに記載のプリント位置合わせ方法。
【手続補正３】
【補正対象書類名】明細書
【補正対象項目名】請求項９
【補正方法】変更
【補正の内容】
【請求項９】  前記キャリブレーション工程は、前記キャリブレーションを行うためのパターンを形成させる工程と、当該パターンを前記光学センサにより読み取る工程と、前記光学センサにより読み取った結果に応じて前記キャリブレーションを行う工程とを有することを特徴とする請求項８に記載のプリント位置合わせ方法。
【手続補正４】
【補正対象書類名】明細書
【補正対象項目名】請求項１１
【補正方法】変更
【補正の内容】
【請求項１１】  プリント剤を前記プリント媒体に付与するプリント素子がインラインに等間隔で、前記プリントヘッドを走査する方向とは異なる方向に複数配列されて前記第１プリントを行うプリントヘッドと、プリント剤を前記プリント媒体に付与するプリント素子がインラインに等間隔で、前記の方向とは異なる方向に複数配列されて前記第２プリントを行うプリントヘッドとを前記走査の方向に並置して用いるプリント装置に対してプリント位置合わせを行うことを特徴とする請求項１ないし９のいずれかに記載のプリント位置合わせ方法。
【手続補正５】
【補正対象書類名】明細書
【補正対象項目名】請求項１５
【補正方法】変更
【補正の内容】
【請求項１５】  前記パターンとして複数種類の異なるパターンを形成可能であることを特徴とする請求項１４に記載のプリント位置合わせ方法。
【手続補正６】
【補正対象書類名】明細書
【補正対象項目名】００３５
【補正方法】変更
【補正の内容】
【００３５】
前記調整値取得工程または手段は、前記パターンを形成する場合の前記ずれ量より細かいピッチのドット形成位置条件に従って前記調整値を得るものとすることができる。
【手続補正７】
【補正対象書類名】明細書
【補正対象項目名】００３６
【補正方法】変更
【補正の内容】
【００３６】
前記パターン形成工程または手段では、プリント装置が制御可能なプリント位置のピッチよりも大きなピッチでのパターン形成を行うものとすることができる。
【手続補正８】
【補正対象書類名】明細書
【補正対象項目名】００３９
【補正方法】変更
【補正の内容】
【００３９】
前記キャリブレーション工程または手段は、前記キャリブレーションを行うためのパターンを形成させる工程または手段と、当該パターンを前記光学センサにより読み取る工程または手段と、前記光学センサにより読み取った結果に応じて前記キャリブレーションを行う工程または手段とを有するものとすることができる。
【手続補正９】
【補正対象書類名】明細書
【補正対象項目名】００４１
【補正方法】削除
【補正の内容】
【手続補正１０】
【補正対象書類名】明細書
【補正対象項目名】００４２
【補正方法】変更
【補正の内容】
【００４２】
プリント剤を前記プリント媒体に付与するプリント素子がインラインに等間隔で、前記プリントヘッドを走査する方向とは異なる方向に複数配列されて前記第１プリントを行うプリントヘッドと、プリント剤を前記プリント媒体に付与するプリント素子がインラインに等間隔で、前記の方向とは異なる方向に複数配列されて前記第２プリントを行うプリントヘッドとを前記走査の方向に並置して用いるプリント装置に対してプリント位置合わせを行うものとすることができる。
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４８
【補正方法】削除
【補正の内容】
【手続補正１５】
【補正対象書類名】明細書
【補正対象項目名】００５２
【補正方法】変更
【補正の内容】
【００５２】
これらの形態において、前記パターンとして複数種類の異なるパターンを形成可能とすることができる。そして、前記複数種類のパターンのうち少なくともその１つは当該パターンの光学特性を測定するためのパターンであり、他の少なくとも一つはプリントドットの着弾位置を目視するためのパターンとすることができる。
【手続補正１６】
【補正対象書類名】明細書
【補正対象項目名】００５４
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】００５７
【補正方法】削除
【補正の内容】
【手続補正２０】
【補正対象書類名】明細書
【補正対象項目名】００５８
【補正方法】削除
【補正の内容】
【手続補正２１】
【補正対象書類名】明細書
【補正対象項目名】００５９
【補正方法】削除
【補正の内容】
【手続補正２２】
【補正対象書類名】明細書
【補正対象項目名】００６０
【補正方法】削除
【補正の内容】
【手続補正書】
【提出日】平成19年6月28日(2007.6.28)
【手続補正１】
【補正対象書類名】明細書
【補正対象項目名】請求項８
【補正方法】変更
【補正の内容】
【請求項８】  前記バッファ領域は前記記憶手段に確保されるラインバッファ領域であることを特徴とする請求項５乃至７記載の印刷データ伸長方法。
【手続補正書】
【提出日】平成19年1月29日(2007.1.29)
【手続補正１】
【補正対象書類名】明細書
【補正対象項目名】特許請求の範囲
【補正方法】変更
【補正の内容】
【特許請求の範囲】
【請求項１】
電子的にアクセス可能なリソースを、該リソースの記述を用いてブラウジングする方法であって、
前記記述はディスクリプタ・コンポーネントを有し、前記ディスクリプタ・コンポーネントが、該リソースへの少なくとも２つのアクセス軸を表す属性を持っていて、さらに、前記記述が、対応する前記リソースへのリンクを有する前記方法において、
前記記述を読込むステップと、
複数の項目を表示する表示ステップと、
表示された前記項目を用いて、前記記述と、前記リンクを介してその記述に対応する、電子的にアクセス可能なリソースと、をブラウジングするステップと、
を有し、
前記複数の項目のそれぞれは、
読込まれた前記記述に対応する前記ディスクリプタ・コンポーネントであって、少なくとも１つの前記属性を持つ前記ディスクリプタ・コンポーネントに関連することを特徴とする方法。
【請求項２】
読込まれた前記記述のそれぞれは、ディスクリプタ・コンポーネント・ツリーによって表され、１つまたはそれ以上の前記ディスクリプタ・コンポーネントが、子孫としてディスクリプタ・コンポーネントを有することを特徴とする請求項１記載の方法。
【請求項３】
前記アクセス軸の中の１つが目次類別であることを特徴とする請求項１記載の方法。
【請求項４】
前記アクセス軸の中の１つが索引類別であることを特徴とする請求項１記載の方法。
【請求項５】
テンプレートとして記述スキームを用いて前記記述が生成され、前記記述のディスクリプタ・コンポーネントの定義を含む宣言型記述定義言語を該記述スキームが利用することを特徴とする請求項１記載の方法。
【請求項６】
前記ディスクリプタ・コンポーネントの前記属性が前記記述スキームで定義されることを特徴とする請求項５記載の方法。
【請求項７】
前記ディスクリプタ・コンポーネントの前記属性が前記記述スキームの永続的項目であることを特徴とする請求項５記載の方法。
【請求項８】
前記ディスクリプタ・コンポーネントの前記属性が、必要なときにアプリケーションによってインスタンス化されることを特徴とする請求項５記載の方法。
【請求項９】
前記ディスクリプタ・コンポーネントの前記属性が前記記述スキームと関連する規則を用いてインスタンス化されることを特徴とする請求項８記載の方法。
【請求項１０】
前記リソースがデジタル・コンテンツの項目であることを特徴とする請求項１記載の方法。
【請求項１１】
前記リソースがワールド・ワイド・ウェブを介して入手可能な電子文書またはリソースであることを特徴とする請求項１記載の方法。
【請求項１２】
前記リソースが電子装置であることを特徴とする請求項１記載の方法。
【請求項１３】
前記記述が、リソースの特定されたセクションとつながるリンクを含むことを特徴とする請求項１記載の方法。
【請求項１４】
前記アクセス軸が、前記記述に対して作用する規則によって決定されることを特徴とする請求項１記載の方法。
【請求項１５】
前記アクセス軸が前記記述の生成中に決定されることを特徴とする請求項１記載の方法。
【請求項１６】
前記少なくとも２つのアクセス軸を表す前記ディスクリプタ・コンポーネントの前記属性が記述のコンテンツから推量されることを特徴とする請求項１記載の方法。
【請求項１７】
前記ディスクリプタ・コンポーネントが前記リソースまたはリソースのセクションへの参照を含む場合、前記ディスクリプタ・コンポーネントの前記属性が目次ディスクリプタであると推量されることを特徴とする請求項１６記載の方法。
【請求項１８】
前記ディスクリプタ・コンポーネントが目次ディスクリプタであると推量されない場合、前記ディスクリプタ・コンポーネントの前記属性が索引ディスクリプタであると推量されることを特徴とする請求項１７記載の方法。